(57)【要約】      （修正有）【課題】枝線を保持する保持部材の基準位置を略同一平面上に揃えることができ、かつ、ワイヤーハーネスの組立作業を良好に行える技術を提供すること。【解決手段】分岐中心保持部材５１の周りに、弧状に延びる弧状支持部材６０が、棒状フレーム６６を介して支持されている。この弧状支持部材６０に、その弧状延在方向に沿って往復移動自在に複数の分岐保持部材７０が支持されている。【選択図】図６
2006134809.tif 000002
【特許請求の範囲】
【請求項１】
ワイヤーハーネスの分岐部分を保持するためのワイヤーハーネス分岐保持具であって、
分岐中心保持部材と、
前記分岐中心保持部周りに弧状に延びる弧状支持部材と、
前記弧状支持部材にその弧状延在方向に沿って往復移動自在に支持された複数の分岐保持部材と、
を備えたワイヤーハーネス分岐保持具。
【請求項２】
請求項１記載のワイヤーハーネス分岐保持具であって、
前記弧状支持部材は、棒状フレームを介して支持されている、ワイヤーハーネス分岐保持具。
【請求項３】
請求項１又は請求項２記載のワイヤーハーネス分岐保持具であって、
前記分岐保持部材は、
前記弧状支持部材に移動自在に支持された弧状可動部と、
前記枝線を保持する枝線保持部と、
前記レール可動部と前記枝線保持部との間に介在し、前記枝線保持部を前記弧状支持部材の径方向に沿って往復移動自在に支持する径方向可動支持部と、
を有する、ワイヤーハーネス分岐保持具。
【請求項４】
請求項１〜請求項３のいずれかに記載のワイヤーハーネス分岐保持具であって、
前記弧状支持部材は、並設された複数の弧状レール部を有し、
隣合う前記各分岐保持部材が、異なる前記各弧状レール部に移動自在に支持されている、ワイヤーハーネス分岐保持具。
【請求項５】
請求項１〜請求項４のいずれかに記載のワイヤーハーネス分岐保持具であって、
前記弧状支持部材は、凹溝状の弧状レール部を有し、
前記分岐保持部材は、外周面を前記弧状レール部の両側面に接触させるようにして、前記弧状レール部内に嵌め込み可能なローラ部を有し、
前記ローラ部が前記弧状レール部内を移動することで、前記分岐保持部材は前記弧状支持部材に往復移動自在に支持された、ワイヤーハーネス分岐保持具。
【発明の詳細な説明】
【技術分野】
【０００１】
この発明は、自動車用のワイヤーハーネスを組立てるための技術に関し、特に、その分岐部分を組立てるための技術に関する。
【背景技術】
【０００２】
一般的にワイヤーハーネスの組立は、次のようにして行われる。すなわち、木製図板にワイヤーハーネスの布線形態に合わせて略Ｙ字状の保持具を立設したワイヤーハーネス保持装置を準備する。そして、複数の電線を適宜保持具に沿って保持させつつ布線すると共に、適宜位置にて各電線をビニールテープ等で結束する。これにより、ワイヤーハーネスが組立てられる。
【０００３】
また、ワイヤーハーネスの分岐部分では、分岐中心に保持具を立設すると共に、これを中心とする弧状ラインに沿って適宜間隔で複数の保持具を立設している。そして、各枝線を、分岐中心の保持具からその周囲の各保持具に適宜分岐状に引回し保持させて、ワイヤーハーネスの組立作業を行っている。
【０００４】
ところが、この場合、各枝線が比較的近接した一定位置に保持されることになる。このため、ワイヤーハーネスの結束作業や外装部品（ハーネスを取付固定するための固定用部材等）の取付作業を行うにあたっては、例えば、作業対象となる枝線以外のものを保持具から外して、作業対象となる枝線周りに十分な作業空間を確保する必要があり、作業の煩雑化を招いている。また、枝線を保持具から外した状態で、結束作業等を行うため、寸法不良等も招き易い。
【０００５】
これに対して、ワイヤーハーネスの分岐部分に設けられる保持具に、複数のアームを回動自在に取付け、このアームの先端部に保持具を取付けて枝線を保持するようにした分岐部分用の保持具がある。この保持具では、各枝線をそれぞれ保持具に保持させたままアームを回動させることで、各枝線間の間隔を調整できる。このため、作業対象外の枝線を保持具から外すことなく、所定の枝線周りに十分な作業空間を確保して結束作業等を施すことができる。
【０００６】
このようなワイヤーハーネス保持具は、例えば、特許文献１に開示されている。
【０００７】
【特許文献１】特開平０６−３０９９６０号公報
【発明の開示】
【発明が解決しようとする課題】
【０００８】
しかしながら、上記分岐部分用の保持具では、高さ方向に沿って各アームが重ならないように配設する必要がある。このため、枝線を保持する保持具の基準位置が異なるものとなってしまう。また、分岐中心から複数のアームが延びる構成であるため、複数のアームが邪魔となり、却って、ワイヤーハーネスの組立作業の妨げとなり易い。
【０００９】
そこで、本発明は、枝線を保持する保持部材の基準位置を略同一平面上に揃えることができ、かつ、ワイヤーハーネスの組立作業を良好に行える技術を提供することを目的とする。
【課題を解決するための手段】
【００１０】
この発明のワイヤーハーネス分岐保持具は、ワイヤーハーネスの分岐部分を保持するためのワイヤーハーネス分岐保持具であって、分岐中心保持部材と、前記分岐中心保持部周りに弧状に延びる弧状支持部材と、前記弧状支持部材にその弧状延在方向に沿って往復移動自在に支持された複数の分岐保持部材と、を備えたものである。
【００１１】
この場合に、前記弧状支持部材は、棒状フレームを介して支持されているとよい。
【００１２】
また、前記分岐保持部材は、前記弧状支持部材に移動自在に支持された弧状可動部と、前記枝線を保持する枝線保持部と、前記レール可動部と前記枝線保持部との間に介在し、前記枝線保持部を前記弧状支持部材の径方向に沿って往復移動自在に支持する径方向可動支持部と、を有する構成であってもよい。
【００１３】
さらに、前記弧状支持部材は、並設された複数の弧状レール部を有し、隣合う前記各分岐保持部材が、異なる前記各弧状レール部に移動自在に支持されている構成であってもよい。
【００１４】
また、前記弧状支持部材は、凹溝状の弧状レール部を有し、前記分岐保持部材は、外周面を前記弧状レール部の両側面に接触させるようにして、前記弧状レール部内に嵌め込み可能なローラ部を有し、前記ローラ部が前記弧状レール部内を移動することで、前記分岐保持部材は前記弧状支持部材に往復移動自在に支持されていてもよい。
【発明の効果】
【００１５】
この発明のワイヤーハーネス分岐保持具によると、複数の分岐保持部材は、弧状支持部材にその弧状延在方向に沿って往復移動自在に支持されているため、枝線を保持する分岐保持部材の基準位置を略同一平面上に揃えることができる。また、分岐中心保持部材と各分岐保持部材との間にアーム等が介在していないため、ワイヤーハーネスの組立作業を良好に行うことができる。
【００１６】
また、前記弧状支持部材が、棒状フレームを介して支持されていると、ワイヤーハーネス組立に際して、本保持具が邪魔になり難く、組立作業を良好に行うことができる。
【００１７】
また、弧状可動部と枝線保持部との間に介在する径方向可動支持部により、前記枝線保持部が前記弧状支持部材の径方向に沿って往復移動自在に支持されていると、各枝線の長さ違いに容易に対応できる。
【００１８】
また、隣合う各分岐保持部材が、異なる各弧状レール部に移動自在に支持されていると、隣合う可動支持部分同士の干渉を防止して、各分岐保持部材を比較的近づけて配設することができる。
【００１９】
また、前記弧状支持部材は、凹溝状の弧状レール部を有し、前記分岐保持部材は、外周面を前記弧状レール部の両側面に接触させるようにして、前記弧状レール部内に嵌め込み可能なローラ部を有し、前記ローラ部が前記弧状レール部内を移動することで、前記分岐保持部材は前記弧状支持部材に往復移動自在に支持された構成とされていると、分岐保持部材は、弧状支持部材を円滑に移動することができる。
【発明を実施するための最良の形態】
【００２０】
以下、この発明の実施形態に係るワイヤーハーネス分岐保持具について説明する。
【００２１】
まず、製造対象となるワイヤーハーネスについて説明しておく。図１は製造対象となるワイヤーハーネスの一例を示す斜視図である。
【００２２】
このワイヤーハーネス１０は、複数の電線を適宜分岐させつつ結束することにより構成されている。図１に示す例では、第１幹線部分１１から第２幹線部分１２Ａ，１２Ｂ，１２Ｃ，１２Ｄ，１２Ｅが適宜分岐しつつ延び、また、第１幹線部分１１や第２幹線部分１２Ａ，１２Ｂ，１２Ｃ，１２Ｄ，１２Ｅから枝線１３が適宜分岐する構成となっている。
【００２３】
また、このワイヤーハーネス１０は、組付対象となる部位の曲面形状等に応じて適宜屈曲されている。そして、電線の結束数、組付形態での屈曲度合（曲げ半径）等から判断して、組付形態への屈曲が比較的困難な部分と、該屈曲が比較的容易な部分とを有している。すなわち、ワイヤーハーネス１０では、より多数の電線が束ねられる程、また、組付対象への組付形態でより屈曲度合が大きい程（曲率半径が小さい程）、結束後に組付形態へ屈曲するのは困難となる。このため、当該組付形態への屈曲が困難な部分を平面的な形態で束ねると、これを組付対象部位に組付ける際に、困難な屈曲作業を行う必要がある。そこで、ここでは、比較的屈曲困難な部分を立体的な態様で束ねると共に、残部を平面的な態様で束ねるように、ワイヤーハーネス１０を製造する。例えば、図１に示す例では、２点鎖線で囲んだ部分が、組付形態への屈曲が困難な部分とされている。
【００２４】
さらに、このワイヤーハーネス１０は、所定の幹線部分における所定の分岐中心から、複数の枝線１３が放射状に分岐する構成を有している。例えば、図１に示す例において、第２幹線部分１２Ａの途中から幹線部分１２Ａａが分岐しており、この幹線部分１２Ａａにおける分岐中心から、複数の枝線１３が放射状に分岐している（矢符Ｊ参照）。
【００２５】
図２は保持フレームを示す平面図である。この保持フレーム２０に、後述する支持具３０及び分岐保持具５０が固定される。そして、ワイヤーハーネス１０が、支持具３０及び分岐保持具５０により、保持フレーム２０に沿ったおおよその態様で、保持される構成となっている。
【００２６】
保持フレーム２０は、図２に示すように、棒状部材である横フレーム部２２Ａ，２２Ｂと縦フレーム部２３Ａ，２３Ｂ，２３Ｃ，２３Ｄ，２３Ｅとが、四方を囲まない態様、換言すれば、少なくとも１方を開口させた態様で連結されてなる。また、横フレーム部２２Ａ，２２Ｂと縦フレーム部２３Ａ，２３Ｂ，２３Ｃ，２３Ｄ，２３Ｅとは、ワイヤーハーネス１０の布線形態に応じて組立てられている。図２に示す例では、横フレーム部２２Ａに複数の縦フレーム部２３Ａ，２３Ｂ，２３Ｃ，２３Ｄ，２３Ｅが櫛歯状に突出状に連結されている。また、縦フレーム部２３Ａの途中に横フレーム２２Ｂが連結されている。そして、概略的には、上記ワイヤーハーネス１０のうち、第１幹線部分１１が横フレーム部２２Ａ部分に沿って保持され、第２幹線部分１２Ａ，１２Ｂ，１２Ｃ，１２Ｄ，１２Ｅが縦フレーム部２３Ａ，２３Ｂ，２３Ｃ，２３Ｄ，２３Ｅに沿って保持されるように構成されている。
【００２７】
なお、上記横フレーム部２２Ａ，２２Ｂと縦フレーム部２３Ａ，２３Ｂ，２３Ｃ，２３Ｄ，２３Ｅを含む主作業面に対して略垂直姿勢で、他のフレームが連結されていてもよい。すなわち、棒状フレームが立体的に組立てられていてもよい。
【００２８】
特に、後述する支持具３０及び分岐保持具５０の立設方向に対して略反対方向に他のフレームが連結されており、このフレームに沿ってワイヤーハーネス１０を組立てるとよい。これにより、主作業面の両面方向に立体的なワイヤーハーネスを組立てることができる。
【００２９】
この保持フレーム２０では、横フレーム部２２Ａの反対側部分が外方へ開口している。そして、作業者の身体の一部を、当該横フレーム部２２Ａの反対側部分の開口を通って、各縦フレーム部２３Ａ，２３Ｂ，２３Ｃ，２３Ｄ，２３Ｅ内に配設することができるようになっている。
【００３０】
なお、横フレーム部２２Ａ，２２Ｂ及び縦フレーム部２３Ａ，２３Ｂ，２３Ｃ，２３Ｄ，２３Ｅは、外周部の一側部（ここでは上側側部及び下側側部）に、一対の凹溝２５ｇを有するガイドレール部２５を有しており、このガイドレール部２５に沿って支持具３０及び分岐保持具５０が移動自在に支持される（図３及び図４参照）。
【００３１】
なお、保持フレーム２０は、四方を囲まない態様で連結されていればよい。例えば、所定の部位から放射状に連結された構成であってもよいし、また、魚骨状に連結された構成であってもよい。
【００３２】
図３は保持フレームに支持された支持具を示す側面図であり、図４は同支持具を示す正面図である。
【００３３】
この支持具３０は、ワイヤーハーネス１０の一部、特に、第１幹線部分１１、第２幹線部分１２Ａ，１２Ｂ，１２Ｃ，１２Ｄ，１２Ｅを所定位置に保持する手段である。そして、複数の支持具３０により、ワイヤーハーネス１０の少なくとも一部が立体的な態様で保持され、ワイヤーハーネス１０の他部が平面的な態様で保持されることになる。
【００３４】
また、支持具３０は、横フレーム部２２Ａ，２２Ｂ及び縦フレーム部２３Ａ，２３Ｂ，２３Ｃ，２３Ｄ，２３Ｅに対して一定姿勢かつその長手方向に沿って移動自在に支持されている。そして、横フレーム部２２Ａ，２２Ｂ及び縦フレーム部２３Ａ，２３Ｂ，２３Ｃ，２３Ｄ，２３Ｅに沿った位置で、ワイヤーハーネス１０の支持位置を容易に変更でき、かつ、支持位置を変更した場合でも、横フレーム部２２Ａ，２２Ｂ及び縦フレーム部２３Ａ，２３Ｂ，２３Ｃ，２３Ｄ，２３Ｅに対する支持具３０の姿勢を一定に保つことができる構成となっている。
【００３５】
具体的には、支持具３０は、図３及び図４に示すように、支柱部３２の一端側に固定されたスライド固定部３４と、支柱部３２の他端側に設けられたスライドレール部３６と、このスライドレール部３６上を移動自在な可動台３８と、この可動台３８に立設されたハーネス支持部４０とを備えている。
【００３６】
スライド固定部３４は、上記ガイドレール部２５に沿って一定姿勢で移動自在かつその長手方向に沿った所定位置に固定可能な構成とされている。
【００３７】
より具体的には、スライド固定部３４は、上記凹溝２５ｇに嵌り込むガイド爪部３５ａを有する一対のスライド固定分割体３５を有している。これらスライド固定分割体３５は、ネジ等の締結具３５Ｓにより締付開放自在に合体されている。そして、本スライド固定部３４をガイドレール部２５に沿って移動させる際には、締結具３５Ｓを多少緩めた状態で、一対のガイド爪部３５ａを凹溝２５ｇに嵌め込む。これにより、スライド固定部３４がガイドレール部２５に沿って一定姿勢で移動可能な状態となる（矢符Ａ参照）。
【００３８】
そして、スライド固定部３４をガイドレール部２５に沿って所定位置に移動させた状態で、締結具３５Ｓを締付けると、一対のガイド爪部３５ａがガイドレール部２５を挟込むように把持する（矢符Ｂ参照）。これにより、スライド固定部３４が、ガイドレール部２５の所定位置に一定姿勢で固定されることになる。
【００３９】
なお、勿論、支持具３０を移動自在に支持する構成は上記例に限られず、その他種々のスライド支持機構を採用することができる。
【００４０】
また、このスライド固定部３４に対して一定姿勢で支柱部３２が延設状に支持される。ここでは、支柱部３２は、横フレーム部２２Ａ，２２Ｂ及び縦フレーム部２３Ａ，２３Ｂ，２３Ｃ，２３Ｄ，２３Ｅに対して略直交する方向に延びるように支持されている。
【００４１】
この支柱部３２の他端部に、スライドレール部３６が固定されている。ここでは、スライドレール部３６は、横フレーム部２２Ａ，２２Ｂ，縦フレーム部２３Ａ，２３Ｂ，２３Ｃ，２３Ｄ，２３Ｅのうち取付けられたもの及び支柱部３２の双方に略直交する方向に延びる姿勢とされている。
【００４２】
また、このスライドレール部３６の延在方向に沿って可動台３８が移動自在に支持されている（矢符Ｃ参照）。そして、可動台３８の側方に設けられたネジ等の締結具３８Ｓを締付けることによって、可動台３８がスライドレール部３６の一定位置に固定されることになる。
【００４３】
また、この可動台３８にハーネス支持部４０が立設されている。ハーネス支持部４０は、可動台３８の上方に延びるハーネス支持棒部４１とその先端部に設けられたハーネス保持部４２とを備えている。ハーネス保持部４２は、例えば、略Ｕ字状、略Ｖ字状、或は開閉可能な略環状の部材であり、その内部にワイヤーハーネス１０（その構成要素である電線を含む）を配設することで、該ワイヤーハーネス１０を一定位置に保持するようになっている。
【００４４】
この支持具３０では、横フレーム部２２Ａ，２２Ｂ，縦フレーム部２３Ａ，２３Ｂ，２３Ｃ，２３Ｄ，２３Ｅに沿ってスライド固定部３４を移動させると共に、スライドレール部３６に沿って可動台３８を移動させることで、支持具３０の位置が所定の平面（ここでは、横フレーム部２２Ａ，２２Ｂ，縦フレーム部２３Ａ，２３Ｂ，２３Ｃ，２３Ｄ，２３Ｅを含む平面）に沿って調整される。
【００４５】
そして、当該平面に略直交する方向については、支柱部３２やハーネス支持棒部４１を伸縮ロッド構造（例えば、矢符Ｄ方向での伸縮構造）や長さを継足し可能な構造にしたり、或は、必要に応じて適宜長さを有するものに変更できる構成とすることで、調整する。
【００４６】
この支持具３０がワイヤーハーネス１０の形態に合わせて保持フレーム２０の適宜位置に取付けられている。また、ハーネス保持部４２は、横フレーム部２２Ａ，２２Ｂ及び縦フレーム部２３Ａ，２３Ｂ，２３Ｃ，２３Ｄ，２３Ｅの延在方向に沿って、その幅方向に所定範囲内で調整され、かつ、高さ方向にも所定範囲内で調整された位置に保持される。
【００４７】
図５は、所定の縦フレーム部２３Ａに沿ってワイヤーハーネス１０の一部（例えば、第２幹線部分１２Ａのうち２点鎖線で囲まれた屈曲部分）を立体的な態様で保持した例を示している。なお、図５では、支持具３０を簡略化している。
【００４８】
同図に示すように、縦フレーム部２３Ａに沿って適宜間隔で支持具３０が取付けられている。ワイヤーハーネス１０の屈曲形態に合わせて、支持具３０の高さ寸法を変えている。ここでは、真ん中の支持具３０の高さ寸法を低くし、両端に向うに従って支持具３０の高さ寸法を高くしている。また、ワイヤーハーネス１０の屈曲形態に合わせて、支柱部３２（縦フレーム部２３Ａ）に対して各ハーネス支持部４０を適宜偏らせた位置に配設している。そして、ワイヤーハーネス１０の第２幹線部分１２Ａを各ハーネス支持部４０で保持させると、該第２幹線部分１２Ａが上下方向にも波打った立体的な形態で保持される。
【００４９】
従って、複数の電線を各ハーネス支持部４０で保持して立体的な形態で保持した状態で、各電線をテープ等で結束すると、立体的な曲げ癖がついた状態で、ワイヤーハーネス１０の第２幹線部分１２Ａが結束されて組立てられる。
【００５０】
図６は分岐保持具を示す平面図であり、図７は同分岐保持具を示す側面図であり、図８は同分岐保持具のうち分岐中心保持部材側部分を示す背面図である。なお、図６等では、分岐保持部材７０を２つだけ図示しているが、勿論、枝線１３の数に応じてより多数の分岐保持部材７０が用いられる。
【００５１】
この分岐保持具５０は、例えば、図１及び図２の矢符Ｊ部分のように、ワイヤーハーネス１０の分岐部分を保持するためのものである。例えば、矢符Ｊ部分、即ち、横フレーム部２２Ｂに沿って配設される幹線部分１２Ａａから分岐する枝線１３を保持する。勿論、他の幹線部分１１，１２Ａ，１２Ｂ，１２Ｃ，１２Ｄ，１２Ｅから分岐する枝線１３を保持する場合についても同様に適用できる。
【００５２】
この分岐保持具５０は、分岐中心保持部材５１と、弧状支持部材６０と、弧状支持部材６０に移動自在に支持された複数の分岐保持部材７０とを備えている。
【００５３】
分岐中心保持部材５１は、上記支持具３０と同様構成を有しており、同様構成部分については、同一符号を付して説明を省略する。なお、この分岐中心保持部材５１では、ハーネス支持部４０は、横フレーム部２２Ｂと略直交する方向に沿って線状部材を保持可能な姿勢で立設されている。そして、例えば、幹線部分１２Ａａから分岐する複数の枝線１３が、分岐の根本となる分岐中心で、ハーネス支持部４０により一定位置に保持されつつ、後述する各分岐保持部材７０に引回されて放射状に保持される。
【００５４】
弧状支持部材６０は、上記分岐中心保持部材５１周りに弧状に延びるように構成されている。この弧状支持部材６０の曲率中心は、上記分岐中心保持部材５１のハーネス支持部４０と同じ位置であることが好ましいが、両者の位置は必ずしも一致している必要はない。
【００５５】
より具体的には、弧状支持部材６０は、並設された複数（ここでは２つ）の弧状レール部６２Ａ，６２Ｂを有している。それぞれの弧状レール部６２Ａ，６２Ｂは、底面を両側面で囲まれた凹溝状に形成されており、各弧状レール部６２Ａ，６２Ｂ内に後述するローラ部７３ａが移動自在に配設される。
【００５６】
上記内周側の弧状レール部６２Ａの内周側に、その周方向に沿って延びかつ内周側に延出する弧状フランジ部６４Ａが形成されている。また、外周側の弧状レール部６２Ｂの外周側には、その周方向に沿って延びかつ外周側に延出する弧状フランジ部６４Ｂが形成されている。そして、後述する各分岐保持部材７０の各上下位置決ローラ部７７が各弧状フランジ部６４Ａ，６４Ｂの縁部に上下から係合しつつ従動回転するように構成されている（図７参照）。
【００５７】
また、外周側の弧状フランジ部６４Ｂの上面に、適宜間隔（ここでは、弧状中心周りに均等間隔）で、凹部６４Ｂａが形成されている。また、各凹部６４Ｂａは、弧状支持部材６０の径方向に沿って位置をずらして形成されている。そして、後述する各分岐保持部材７０の位置決係止部７８が所定の位置の凹部６４Ｂａに嵌り込むように係合する構成となっている（図７参照）。
【００５８】
また、弧状支持部材６０は、棒状フレーム６６を介して支持されている。より具体的には、棒状フレーム６６は、平板長尺状の側方支持フレーム部６８の一端部側にスライド固定部６７が固定されると共に、他端部側に支持柱部６９が固定されてなる。
【００５９】
スライド固定部６７は、上記スライド固定部３４と同様構成にて、上記ガイドレール部２５に沿って一定姿勢で移動自在かつその長手方向に沿った所定位置に固定可能な構成とされている。
【００６０】
ここでは、スライド固定部６７は、横フレーム部２２Ａ，２２Ｂ及び縦フレーム部２３Ａ，２３Ｂ，２３Ｃ，２３Ｄ，２３Ｅの下側部におけるガイドレール部２５に移動自在に配設される。そして、上記分岐中心保持部材５１が取付けられた位置と対応する位置で、下側部におけるガイドレール部２５に固定される（図８参照）。
【００６１】
また、支持柱部６９は、側方支持フレーム部６８の他端部側に略直角姿勢で取付けられている。その支持柱部６９の上端部に上記弧状支持部材６０が固定支持されている。
【００６２】
なお、弧状支持部材６０は、上記分岐中心保持部材５１のいずれかの部位に、棒状支持部材等を介して固定される構成であってもよい。
【００６３】
各分岐保持部材７０は、上記弧状支持部材６０にその弧状延在方向に沿って往復移動自在に支持されてなる。また、各分岐保持部材７０は、上記分岐中心保持部材５１から分岐する枝線１３を保持可能に構成されている。
【００６４】
すなわち、分岐保持部材７０は、弧状可動部７２と径方向可動支持部７４と枝線保持部７６とを備えている。
【００６５】
弧状可動部７２は、弧状支持部材６０の弧状レール部６２Ａ，６２Ｂの周方向に沿って移動自在に支持される部材である。ここでは、弧状可動部７２は、複数（ここでは２つ）のローラ部７３ａが弧状レール部６２Ａ，６２Ｂの径方向に沿って並べられた位置で、ブラケット７３ｂにより回転自在に支持されてなる。各ローラ部７３ａは、弧状レール部６２Ａ，６２Ｂの底面に対して略平行姿勢で回転自在に支持されており、その外周面を弧状レール部６２Ａ，６２Ｂ両側内側に接触させるようにして、弧状レール部６２Ａ，６２Ｂ内に嵌め込み可能とされている。そして、各ローラ部７３ａの外周面を弧状レール部６２Ａ，６２Ｂの内側面の一方に適宜接触させて回転させつつ、弧状レール部６２Ａ，６２Ｂ内を円滑に移動できるように構成されている。これにより、弧状可動部７２が弧状レール部６２Ａ，６２Ｂ内を円滑に移動する。なお、ここで、複数（ここでは２つ）のローラ部７３ａを用いているのは、弧状レール部６２Ａ，６２Ｂに対する分岐保持部材７０の姿勢を一定に保つためである。
【００６６】
また、隣合う各分岐保持部材７０は、異なる各弧状レール部６２Ａ，６２Ｂに移動自在に支持されている。換言すれば、複数の弧状レール部６２Ａ，６２Ｂを有する構成において、隣合う各分岐保持部材７０が同じ弧状レール部６２Ａ，６２Ｂで支持されないように、いずれか一つの弧状レール部６２Ａ，６２Ｂで移動自在に支持されている。
【００６７】
ここでは、所定の分岐保持部材７０の弧状可動部７２が内周側の弧状レール部６２Ａに移動自在に支持され、その隣の分岐保持部材７０の弧状可動部７２が外周側の弧状レール部６２Ｂに移動自在に支持されている。典型的には、２つの弧状レール部６２Ａ、６２Ｂに対して、各分岐保持部材７０が交互に移動自在に支持されている。
【００６８】
これにより、隣合う分岐保持部材７０の弧状可動部７２が同じ弧状レール部６２Ａ、６２Ｂ内で干渉することを防止できる。
【００６９】
径方向可動支持部７４は、上記弧状可動部７２と枝線保持部７６との間に介在し、枝線保持部７６を弧状支持部材６０の径方向に沿って移動自在に支持するように構成されている。
【００７０】
より具体的には、径方向可動支持部７４は、レール基台部７５ａと、このレール基台部７５ａに沿って移動自在に支持された可動台部７５ｂとを備えている。
【００７１】
レール基台部７５ａは、凹溝部７５ｇを有する長尺形状に形成されており、上記弧状可動部７２のブラケット７３ｂ上に一定姿勢で固定されている。そして、弧状可動部７２の移動に伴って、弧状レール部６２Ａ，６２Ｂの径方向に沿った姿勢で該弧状レール部６２Ａ，６２Ｂの周方向に沿って往復移動するように構成されている。
【００７２】
上記可動台部７５ｂは、レール基台部７５ａの凹溝部７５ｇ内にその延在方向に沿って移動自在とされており、枝線保持部７６を弧状支持部材６０の径方向に沿って往復移動自在に支持している。また、可動台部７５ｂには、ネジ等の締結具７５Ｓが設けられており、可動台部７５ｂをレール基台部７５ａの長手方向に沿って所定位置に配設した状態で、当該締結具７５Ｓを締付けることで、可動台部７５ｂがレール基台部７５ａの所定位置に固定される。
【００７３】
また、可動台部７５ｂに、枝線保持部７６が立設されている。枝線保持部７６は、上記ハーネス保持部４２と同様構成とされており、枝線１３を可動台部７５ｂ上方の所定位置に保持する。
【００７４】
また、上記レール基台部７５ａに、弧状支持部材６０の内周側縁部及び外周側縁部に対応する位置に、上下位置決ローラ部７７が設けられている。上下位置決ローラ部７７は、例えば、外周面に周方向に沿った略Ｖ字状の溝を有するローラ部材である。そして、上記弧状可動部７２が弧状レール部６２Ａ、６２Ｂ内を移動する際に、上下位置決ローラ部７７が各弧状フランジ部６４Ａ，６４Ｂの縁部に上下から係合しつつ従動回転する。これにより、分岐保持部材７０の上下のぶれを抑制するようにしている。なお、上下位置決ローラ部７７を、弧状支持部材６０の内周側又は外周側の一方だけで、上下から係合させつつ従動回転させる構成であってもよい。
【００７５】
また、可動台部７５ｂのうち外周側の弧状フランジ部６４Ｂと対向する位置に、位置決係止部７８が形成されている。位置決係止部７８は、例えば、ボールプランジャ等により構成されている。そして、分岐保持部材７０を所定の位置に移動させると、位置決係止部７８が所定の位置の凹部６４Ｂａに嵌り込む。これにより、分岐保持部材７０が一定の位置に保たれるようになっている。また、この状態から十分に大きな力を加えると、位置決係止部７８と凹部６４Ｂａとの係合が解除され、分岐保持部材７０を移動させることができるようになっている。
【００７６】
なお、各分岐保持部材７０において、位置決係止部７８が予め決められた所定の凹部６４Ｂａに係合し得るように、位置決係止部７８を弧状支持部材６０の径方向に沿ってずらして形成してある。
【００７７】
また、外周側の弧状フランジ部６４Ｂの上面に、適宜間隔（ここでは、弧状中心周りに均等間隔）で、凹部６４Ｂａが形成されている。また、各凹部６４Ｂａは、弧状支持部材６０の径方向に沿って位置をずらして形成されている。そして、なお、ここでは、この弧状支持部材６０にその周方向に沿って適宜間隔で凹部６４Ｂａを形成し、各分岐中心保持部材５１側に当該凹部６４Ｂａに位置決め係合可能な凸状の位置決係止部７８を形成している。凹凸関係を逆にして、弧状支持部材６０側に凸部を形成し、各分岐保持部材７０側にこれに位置決め係合可能な凹部を形成してもよい。
【００７８】
上述した保持フレーム２０，支持具３０及び分岐保持具５０を用いてワイヤーハーネス１０を組立てる作業について説明する。
【００７９】
まず、ワイヤーハーネス１０の全体を組立てる概略作業について説明する。図９及び図１０は、ワイヤーハーネス１０の全体的な組立作業を示す説明図である。
【００８０】
図９では、保持フレーム２０が非開口部分（両側部の縦フレーム部２３Ａ，２３Ｅや、横フレーム部２２Ａ）を介して所定の保持手段により固定されている。保持フレーム２０は、例えば、その開口部分を下方に向けた斜め姿勢で固定されている。また、図１０では、保持フレーム２０が略鉛直姿勢で固定されている。なお、保持フレーム２０は、周知のヒンジ構造及びダンパ機構等を組合わせた保持手段によって、角度や高さ位置等を可変に支持されていることが好ましい。
【００８１】
この保持フレーム２０の適宜位置に、ワイヤーハーネス１０の形態に合わせて、支持具３０や分岐保持具５０が取付固定される。
【００８２】
そして、作業者がワイヤーハーネス１０を構成する電線を各支持具３０や分岐保持具５０に保持させ、この後、各電線を結束する。
【００８３】
なお、本作業において、ワイヤーハーネス１０を製造に関する作業全てを行う必要七位。例えば、ここでの作業とは別に、平面的にワイヤーハーネス１０を保持できる平面用ワイヤーハーネス保持装置等を用いて、ワイヤーハーネス１０を平面的な形態に仮組しておいてもよい。そして、この平面的形態に仮組みされたワイヤーハーネス１０を、保持フレーム２０の各支持具３０や分岐保持具５０に移し替えて、束になった電線に粘着テープを巻回等して、該屈曲困難な部分を立体的な形態に曲げ癖を付けた状態で、結束等して、最終的な形態まで製造するようにしてもよい。
【００８４】
本保持フレーム２０を用いて作業を行う場合には、例えば、図９に示すように、作業者Ｐは、身体の一部（例えば、胴部や肩回り、首回り、腕等）を、保持フレーム２０の開口を通って、横フレーム部２２Ａや各縦フレーム部２３Ａ，２３Ｂ，２３Ｃ，２３Ｄ，２３Ｅ等で囲まれる空間内に入り込ませる。そして、この状態で、上記ワイヤーハーネス１０の組立て作業を行うことができる。
【００８５】
また、図１０に示すように、二人の作業者Ｐ１，Ｐ２が、保持フレーム２０を挟むように位置しており、保持フレーム２０の主作業面の一方面及び他方面側から同時に作業を行うこともできる。
【００８６】
ワイヤーハーネス１０の製造作業において、分岐部分の製造作業は次のようにして行われる。なお、図１１及び図１２では、各構成要素を簡略化しており、分岐中心保持部材５１及び分岐保持部材７０の位置を丸印で示している。
【００８７】
すなわち、図１１に示すように、例えば、横フレーム２２Ｂに沿って配設された幹線部分１２Ａａが所定の分岐中心で複数の枝線１３に分岐している場合、この分岐中心が配設されるべき位置に、分岐保持具５０が固定される。当初の状態では、例えば、複数の分岐保持部材７０は、弧状支持部材６０に沿って均等間隔をあけた位置に移動配設される。そして、幹線部分１２Ａａを横フレーム２２Ｂに沿って配設しつつ、各枝線１３の根本部分を分岐中心保持部材５１により一定位置に保持させると共に、各枝線１３の先端側部分をそれぞれ各分岐保持部材７０に保持させる。この際、可動台部７５ｂをレール基台部７５ａに沿って移動させて（図１１の矢符Ｌ参照）所定位置に固定する。これにより、分岐中心保持部材５１と各分岐保持部材７０との距離を、枝線１３の長さに応じた寸法に調整する。
【００８８】
この後、各枝線１３に対して、結束作業や外装部品（ハーネスを取付固定するための固定用部材等）の取付作業、コネクタの取付作業等を行う。この際、図１２に示すように、各分岐保持部材７０を移動させて、作業対象となる枝線１３を保持する各分岐保持部材７０の周囲に十分な作業空間を確保できるようにする。例えば、図１２では、作業対象となる枝線１３を保持するもの以外の各分岐保持部材７０を弧状支持部材６０の端部側に寄せるようにしている。そして、作業対象となる枝線１３が異なる毎に、適宜各分岐保持部材７０を移動させて、所望の枝線１３の周囲に十分な作業空間を確保できるようにする。これにより、所定の枝線１３に対する作業を、十分な作業空間で枝線を分岐保持部材７０から外すことなく実施できることになる。また、枝線１３を分岐保持部材７０から外すことなく各枝線１３に対する作業を実施できるため、各枝線１３の寸法も比較的正確にすることができる。
【００８９】
なお、上記分岐保持具５０に係る分岐中心保持部材５１、弧状支持部材６０及び各分岐保持部材７０に係る基本的構成自体は、平板状の図板にも適用することができる。
【００９０】
以上のように構成された分岐保持具５０によると、複数の分岐保持部材７０は、弧状支持部材６０にその弧状延在方向に沿って往復移動自在に支持されているため、枝線１３を保持する分岐保持部材の基準位置を略同一平面上に揃えることができる。従って、例えば、同じ高さの枝線保持部７６を用いれば、各枝線１３の保持位置を同じに揃えることができ、便利である。もっとも、必要に応じて、枝線保持部７６の高さを変える等して、各枝線１３の保持位置を上下にずらしてもよい。また、分岐中心保持部材５１と各分岐保持部材７０との間にアーム等が介在させる必要がないため、ワイヤーハーネス１０の組立作業を良好に行うことができる。
【００９１】
また、弧状支持部材６０は、棒状フレーム６６を介して支持されているため、ワイヤーハーネス１０組立に際して、本分岐保持具５０が邪魔になり難く、組立作業を良好に行うことができる。特に、ワイヤーハーネス１０を立体的に組立てる場合において有効である。
【００９２】
また、径方向可動支持部７４により、枝線保持部７６が弧状支持部材６０の径方向に沿って往復移動自在に支持されているため、各枝線１３の長さ違いに容易に対応できる。
【００９３】
さらに、隣合う各分岐保持部材７０が、異なる各弧状レール部６２Ａ，６２Ｂに移動自在に支持されているため、隣合う可動支持部分であるローラ部７３ａ同士の干渉を防止でき、各分岐保持部材７０を比較的近づけて配設することができる。
【００９４】
また、弧状支持部材６０は、凹溝状の弧状レール部６２Ａ，６２Ｂを有しており、ローラ部７３ａの外周面を弧状レール部６２Ａ，６２Ｂの両側内面に接触させるようにして、該ローラ部７３ａが弧状レール部６２Ａ，６２Ｂ内に嵌め込まれているため、ローラ部７３ａが弧状レール部６２Ａ，６２Ｂ内を円滑に移動でき、各分岐保持部材７０も、弧状支持部材６０を円滑に移動することができる。
【図面の簡単な説明】
【００９５】
【図１】製造対象となるワイヤーハーネスの一例を示す斜視図である。
【図２】保持フレームを示す平面図である。
【図３】保持フレームに支持された支持具を示す側面図である。
【図４】同上の支持具を示す正面図である。
【図５】フレーム部に沿ってワイヤーハーネスの一部を立体的な態様で保持した例を示す説明図である。
【図６】分岐保持具を示す平面図である。
【図７】分岐保持具を示す側面図である。
【図８】分岐保持具のうち分岐中心保持部材側部分を示す背面図である。
【図９】ワイヤーハーネス全体の組立作業を示す説明図である。
【図１０】ワイヤーハーネス全体の他の組立作業を示す説明図である。
【図１１】ワイヤーハーネスの分岐部分の組立作業を示す説明図である。
【図１２】ワイヤーハーネスの分岐部分の他の組立作業を示す説明図である。
【符号の説明】
【００９６】
１０  ワイヤーハーネス
１１  第１幹線部分
１２Ａ，１２Ａａ，１２Ｂ，１２Ｃ，１２Ｄ，１２Ｅ  第２幹線部分
１３  枝線
２０  保持フレーム
３０  支持具
５０  分岐保持具
５１  分岐中心保持部材
６０  弧状支持部材
６２Ａ、６２Ｂ  弧状レール部
６６  棒状フレーム
７０  分岐保持部材
７２  弧状可動部
７３ａ  ローラ部
７４  径方向可動支持部
７５ａ  レール基台部
７５ｂ  可動台部
７６  枝線保持部
【図１】
2006134809.tif 000003
【図２】
2006134809.tif 000004
【図３】
2006134809.tif 000005
【図４】
2006134809.tif 000006
【図５】
2006134809.tif 000007
【図６】
2006134809.tif 000008
【図７】
2006134809.tif 000009
【図８】
2006134809.tif 000010
【図９】
2006134809.tif 000011
【図１０】
2006134809.tif 000012
【図１１】
2006134809.tif 000013
【図１２】
2006134809.tif 000014